(57)【要約】      （修正有）【課題】搬送作業を容易にすることができる寝台を提供する。【解決手段】複数の脚１１、各脚の着脱と複数の基台片への分割が可能であって平面状の上面１２Ｄを有する基台１２、および基台の上面に載置されるコイルスプリングユニット２０を備え、各脚１１、基台１２及びコイルスプリングユニット２０がそれぞれ互いに分離可能に形成されている。【選択図】図１
0003208600.tif 000002
【実用新案登録請求の範囲】
【請求項１】
複数の脚と、
該各脚の着脱が可能であって平面状の上面を有する基台と、
該基台の前記上面に載置されるコイルスプリングユニットと、を備え、
前記各脚、前記基台及び前記コイルスプリングユニットがそれぞれ互いに分離可能に形成されたことを特徴とする寝台。
【請求項２】
前記各脚及び前記基台において外部に露出する外表面が被覆部材で被覆されていることを特徴とする請求項１に記載の寝台。
【請求項３】
前記コイルスプリングユニットは、
使用者の体圧が入力される受圧面、該受圧面と対向するとともに該受圧面に入力された体圧を分散して前記基台に出力する出力面、該出力面と前記受圧面とを連続させる側面、及び該側面と前記出力面との間に設けられて前記出力面から下方に突出して該出力面の外縁に沿って形成された縁部を有し、
前記出力面において前記コイルスプリングユニットが前記基台に載置されることにより前記縁部が前記基台の外表面を部分的に被覆することを特徴とする請求項１または２に記載の寝台。
【考案の詳細な説明】
【技術分野】
【０００１】
本考案は、寝台、特に、脚、脚が設けられる基台、及び基台に載置されるコイルスプリングユニットを備えた寝台に関する。
【背景技術】
【０００２】
一般に、脚付マットレスとも称されている寝台は、脚が設けられた基台、及びこの基台に載置されて基台に固定されたコイルスプリングユニットを備えて形成される（例えば、特許文献１を参照）。
【０００３】
この特許文献１の寝台は、コイルスプリングユニットを被覆する側生地によって基台も被覆されて、外観からは基台が露出しないように形成されていることから、基台の仕上げを簡素化することができる。その結果、製造コストを抑制することが可能となる。
【先行技術文献】
【特許文献】
【０００４】
【特許文献１】特開２００４−１６００９２公報
【考案の概要】
【考案が解決しようとする課題】
【０００５】
しかし、特許文献１の寝台によれば、基台が外観に露出しないことから、基台の仕上げを簡素化することによって製造コストを抑制することができるものの、脚が設けられた基台とコイルスプリングユニットとが固定されていることから、かかる寝台を製品として出荷する際あるいは購入者であるユーザの使用場所に搬送する際の梱包の寸法は、比較的大型になることが想定される。
【０００６】
したがって、梱包の寸法が大型化することによって、搬入先の搬入口が狭隘な場合は搬入が困難となったり、搬送作業に別の作業者を付添させたりすることとなって、搬送作業が極めて厄介になることが懸念される。
【０００７】
本考案は、上記事情に鑑みてなされたものであり、搬送作業を容易にすることができる寝台を提供することを課題とするものである。
【課題を解決するための手段】
【０００８】
上記課題を解決するための請求項１に記載の考案による寝台は、複数の脚と、該各脚の着脱が可能であって平面状の上面を有する基台と、該基台の前記上面に載置されるコイルスプリングユニットと、を備え、前記各脚、前記基台及び前記コイルスプリングユニットがそれぞれ互いに分離可能に形成されたことを特徴とする。
【０００９】
この構成によれば、寝台を構成する全ての部材が分離されることから、例えば、搬入先の搬入口が狭隘な場合であっても、搬送作業の負担が軽減される。さらに、全ての部材が分離されて個別に搬送することができることから、作業者が一人であっても容易に搬送を行うことができる。
【００１０】
請求項２に記載の考案による寝台は、請求項１に記載の寝台において、前記各脚及び前記基台において外部に露出する外表面が被覆部材で被覆されていることを特徴とする。
【００１１】
この構成によれば、寝台は、脚及び基台において外部に露出する外表面が被覆部材によって被覆されていることから、寝台の意匠性が向上する。
【００１２】
請求項３に記載の考案による寝台は、請求項１または２に記載の寝台において、前記コイルスプリングユニットは、使用者の体圧が入力される受圧面、該受圧面と対向するとともに該受圧面に入力された体圧を分散して前記基台に出力する出力面、該出力面と前記受圧面とを連続させる側面、及び該側面と前記出力面との間に設けられて前記出力面から下方に突出して該出力面の外縁に沿って形成された縁部を有し、前記出力面において前記コイルスプリングユニットが前記基台に載置されることにより前記縁部が前記基台の外表面を部分的に被覆することを特徴とする。
【００１３】
この構成によれば、コイルスプリングユニットがその出力面において基台の上面の上に載置されると、出力面から下方に突出するコイルスプリングユニットの縁部が、基台の外表面を部分的に被覆することから、脚があたかもコイルスプリングユニットに直接的に取り付けられているような外観が創出され、寝台の意匠性がさらに向上する。
【考案の効果】
【００１４】
この考案によると、寝台の搬送作業の負担が軽減されて、搬送作業が容易になる。
【図面の簡単な説明】
【００１５】
【図１】本考案の実施の形態に係る寝台の概略を説明する斜視図である。
【図２】図１のＡ部の拡大図である。
【図３】同じく、本実施の形態に係るコイルスプリングユニットの概略を説明する図である。
【図４】同じく、本実施の形態に係るコイルスプリングユニットの要部を説明する図であり、（ａ）は図３のＢ部の拡大図、（ｂ）は（ａ）のＩＶ−ＩＶ線断面図である。
【図５】同じく、本実施の形態に係る寝台の部分拡大図である。
【考案を実施するための形態】
【００１６】
次に、本考案の実施の形態について、図１〜図５を参照して説明する。
【００１７】
なお、本考案の一実施の形態として、寝台が、いわゆる脚付マットレスとして構成された場合を例として説明する。
【００１８】
図１は、本実施の形態に係る脚付マットレス１０の概略を説明する斜視図である。図示のように、脚付マットレス１０は、複数の脚１１、脚１１が設けられる平面視で略矩形の基台１２、及び基台１２に載置されるコイルスプリングユニットであるマットレス２０を主要構成として備える。
【００１９】
脚１１は、本実施の形態では、木製の円柱状であって、平面視略矩形の基台１２の四隅にそれぞれ１本ずつ配置されて構成される。この脚１１は、ボルト１１ａによって基台１２に対して着脱可能に形成されている。
【００２０】
基台１２は、本実施の形態では、長尺方向Ｘに伸長する一対の梁１２Ａ、１２Ａ、及び５枚の木製の平板状の板材である基台片１２Ｂを主要構成として備える。
一対の梁１２Ａ、１２Ａは、本実施の形態では、木製の角材で形成され、離間距離ｄを有して互いに対向して配置される。
【００２１】
基台片１２Ｂは、本実施の形態では、長尺方向Ｘにおける基台１２の両端を構成する一対の第１基台片１２Ｂａ、１２Ｂａ、及びこの第１基台片１２Ｂａ、１２Ｂａの間に配置される３枚の第２基台片１２Ｂｂを有して形成される。
【００２２】
これらの基台片１２Ｂは、離間距離ｄを有して互いに対向して配置される一対の梁１２Ａ、１２Ａの上に配置されて、ボルト１２Ｃが締結されることによって一対の梁１２Ａ、１２Ａに固定される。これにより、平坦なスノコ状の基台１２が形成され、基台片１２Ｂに、マットレス２０が載置される基台１２の上面１２Ｄが設定される。
【００２３】
図２は、図１のＡ部の拡大図である。図示のように、脚１１において外部に露出する外表面、及び基台１２において外部に露出する外表面は、本実施の形態では、木目の模様が施与された被覆部材である化粧紙１２Ｅによって被覆されている。
【００２４】
一方、基台１２の上面１２Ｄにはマットレス２０が載置されることから、外部に露出しない。したがって、基台１２の上面１２Ｄは、本実施の形態では、化粧紙１２Ｅによって被覆されていない。
【００２５】
図３は、マットレス２０の概略を説明する図である。図示のように、マットレス２０は、本実施の形態では、図示しない複数のコイルスプリングが収容されたクッション部２１、及びクッション部２１を被覆するカバー部２２を備える。
【００２６】
クッション部２１は、上面２１ａ、この上面２１ａと対向する下面２１ｂ、上面２１ａと下面２１ｂとを連続させる側面２１ｃを有する平面視で略矩形の立方体状に形成される。
【００２７】
カバー部２２は、上部２２ａ、この上部２２ａと対向する下部２２ｂ、上部２２ａと下部２２ｂとを連続させる側部２２ｃを有する立方体状であって袋状に形成される。
【００２８】
このカバー部２２の上部２２ａによりクッション部２１の上面２１ａが被覆され、カバー部２２の下部２２ｂによりクッション部２１の下面２１ｂが被覆され、かつカバー部２２の側部２２ｃによりクッション部２１の側面２１ｃが被覆され、カバー部２２によって、クッション部２１の全体が被覆される。
【００２９】
このように、マットレス２０は、カバー部２２によってクッション部２１が被覆された状態において、クッション部２１の上面２１ａ（カバー部の上部２２ａ）に、使用者の体圧が入力される受圧面２０Ａが設定され、クッション部の下面２１ｂ（カバー部の下部２２ｂ）に、受圧面２０Ａと対向するとともに受圧面２０Ａに入力された体圧を分散して基台１２に出力する出力面２０Ｂが設定され、クッション部２１の側面２１c（カバー部の側部２２ｃ）に、出力面２０Ｂと受圧面２０Ａとを連続させる側面２０Ｃが設定される。
【００３０】
図４は、本実施の形態のマットレス２０の要部を説明する図であり、（ａ）は図３のＢ部の拡大図、（ｂ）は（ａ）のＩＶ−ＩＶ線断面図である。図４（ａ）及び（ｂ）で示すように、マットレス２０は、側面２０Ｃと出力面２０Ｂとの間に設けられて出力面２０Ｂから突出して出力面２０Ｂの外縁に沿って形成された縁部２３を備える。
【００３１】
この縁部２３は、カバー部２２の側部２２ｃが下方に伸長して形成された側部伸長部２３ａ、カバー部２２の下部２２ｂが外方に伸長して形成された下部伸長部２３ｂ、及び側部伸長部２３ａと下部伸長部２３ｂとが接合された状態でこの接合された部分を包み込んで隠蔽する隠蔽部材２３ｃを備える。
【００３２】
この側部伸長部２３ａと下部伸長部２３ｂとが接合され、接合された部分が隠蔽部材２３ｃによって隠蔽された状態で、側部伸長部２３ａと下部伸長部２３ｂと隠蔽部材２３ｃとが縫合されて、出力面２０Ｂから下方に突出して出力面２０Ｂの外縁に沿った縁部２３が形成される。
【００３３】
このような構成を有するマットレス２０が、その出力面２０Ｂにおいて、脚１１が装着された基台１２の上面１２Ｄの上に載置されることによって、脚付マットレス１０が構成される。
【００３４】
図５は、脚付マットレス１０の部分拡大図である。図示のように、マットレス２０がその出力面２０Ｂにおいて基台１２の上面１２Ｄの上に載置されると、出力面２０Ｂから下方に突出するマットレス２０の縁部２３が、基台１２の端縁に沿って基台１２の外表面を部分的に被覆する。
【００３５】
このような脚付マットレス１０を搬送する場合は、まず、マットレス２０を基台１２から取り外し、ボルト１１ａを緩めて基台１２の四隅に装着された脚１１を取り外す。さらに、ボルト１２Ｃを緩めて、基台片１２Ｂを一対の梁１２Ａ、１２Ａから取り外す。
【００３６】
しかる後、マットレス２０、４本の脚１１、基台片１２Ｂ及び一対の梁１２Ａ、１２Ａをそれぞれ個別に梱包することにより、搬送の準備が完了する。
【００３７】
このように、脚付マットレス２０を構成する全ての部材が分離されることから、例えば、搬入先の搬入口が狭隘な場合であっても、搬送作業の負担が軽減される。さらに、全ての部材が分離されて個別に搬送することができることから、作業者が一人であっても容易に搬送を行うことができる。
【００３８】
搬送先において脚付マットレス１０が組み立てられた後、ユーザが脚付マットレス１０を使用する場合は、本実施の形態では、脚１１及び基台１２において外部に露出する外表面が、木目の模様が施与された化粧紙１２Ｅによって被覆されていることから、脚付マットレス１０の意匠性が向上する。
【００３９】
さらに、マットレス２０がその出力面２０Ｂにおいて基台１２の上面１２Ｄの上に載置されると、出力面２０Ｂから下方に突出するマットレス２０の縁部２３が、基台１２の端縁に沿って基台１２の外表面を部分的に被覆することから、脚１１があたかもマットレス２０に直接的に取り付けられているような外観が創出され、意匠性がさらに向上する。
【００４０】
しかも、基台１２は、本実施の形態では５枚の基台片１２Ｂによってスノコ状に形成されていることから、脚付マットレス１０の通気性が確保される。
【００４１】
なお、本考案は上記実施の形態に限定されることはなく、考案の趣旨を逸脱しない範囲で種々変更可能である。上記実施の形態では、マットレス２０がその出力面２０Ｂにおいて基台１２の上面１２Ｄの上に直接的に載置される場合を説明したが、出力面２０Ｂに滑り止めの部材を貼付してもよい。
【符号の説明】
【００４２】
１０    脚付マットレス（寝台）
１１    脚
１２    基台
１２Ｂ    基台片
１２Ｄ    上面
２０    マットレス（コイルスプリングユニット）
２０Ａ    受圧面
２０Ｂ    出力面
２０Ｃ    側面
【図１】
0003208600.tif 000003
【図２】
0003208600.tif 000004
【図３】
0003208600.tif 000005
【図４】
0003208600.tif 000006
【図５】
0003208600.tif 000007